(57)【要約】【課題】  電波干渉の防止が可能な駅務機器及び駅務機器の制御方法を提供する。【解決手段】  一実施形態に係る駅務機器は、第１のカードリーダ、決済端末、通信インタフェース、プロセッサを具備する。第１のカードリーダは、ＩＣカードと無線通信を行う。決済端末は、前記ＩＣカードと無線通信を行う第２のカードリーダを有する。通信インタフェースは、前記ＩＣカードの識別情報毎に入出場情報を有する運賃サーバと通信する。プロセッサは、前記第２のカードリーダからの電波の出力を停止させ、前記第１のカードリーダにより前記ＩＣカードから識別情報を取得し、識別情報に基づいて、入出場情報を運賃サーバから取得し、決済額を算出し、前記第１のカードリーダからの電波の出力を停止させ、前記決済端末の前記第２のカードリーダにより前記ＩＣカードから識別情報を取得させ、決済額を前記決済端末に供給し、前記決済端末に決済を行わせる。【選択図】      図２
2020194358.tif 000002
【特許請求の範囲】
【請求項１】
ＩＣカードと無線通信を行う第１のカードリーダと、
前記ＩＣカードと無線通信を行う第２のカードリーダを有する決済端末と、
前記ＩＣカードの識別情報毎に入出場情報を有する運賃サーバと通信する通信インタフェースと、
前記第２のカードリーダからの電波の出力を停止させ、前記第１のカードリーダにより前記ＩＣカードから識別情報を取得し、識別情報に基づいて、入出場情報を運賃サーバから取得し、決済額を算出し、前記第１のカードリーダからの電波の出力を停止させ、前記決済端末の前記第２のカードリーダにより前記ＩＣカードから識別情報を取得させ、決済額を前記決済端末に供給し、前記決済端末に決済を行わせるプロセッサと、
を具備する駅務機器。
【請求項２】
前記プロセッサは、前記決済端末による決済が承認されたか否かに基づいて、通行を許可するか否かを判定する請求項１に記載の駅務機器。
【請求項３】
前記運賃サーバは、決済の為の情報をさらに有し、
前記プロセッサは、前記ＩＣカードの種別に応じて、前記運賃サーバに決済を行わせるか、前記決済端末に決済を行わせるかを決定する請求項１または２に記載の駅務機器。
【請求項４】
前記運賃サーバは、決済の為の情報として残額の情報を有し、
前記プロセッサは、前記決済額が前記残額以下であるか否かに基づいて、通行を許可するか否かを判定する請求項３に記載の駅務機器。
【請求項５】
ＩＣカードと無線通信を行う第１のカードリーダと、前記ＩＣカードと無線通信を行う第２のカードリーダを有する決済端末と、前記ＩＣカードの識別情報毎に入出場情報を有する運賃サーバと通信する通信インタフェースと、プロセッサとを具備する駅務機器の制御方法であって、
前記プロセッサは、前記第２のカードリーダからの電波の出力を停止させ、前記第１のカードリーダにより前記ＩＣカードから識別情報を取得し、識別情報に基づいて、入出場情報を運賃サーバから取得し、決済額を算出し、前記第１のカードリーダからの電波の出力を停止させ、前記決済端末の前記第２のカードリーダにより前記ＩＣカードから識別情報を取得させ、決済額を前記決済端末に供給し、前記決済端末に決済を行わせる、
駅務機器の制御方法。
【発明の詳細な説明】
【技術分野】
【０００１】
本発明の実施形態は、駅務機器及び駅務機器の制御方法に関する。
【背景技術】
【０００２】
乗車券として用いられる非接触型ＩＣカードと無線通信を行い、通路を塞ぐドアの開閉を制御する駅務機器（例えば改札機）が実用化されている。また、複数の用途に対応した非接触型ＩＣカードが実用化されている。またさらに、用途毎に無線通信用のカードリーダを備え、非接触型ＩＣカードと無線通信を行う改札機が実用化されている。このような構成によると、複数のカードリーダ間で電波干渉が生じる可能性があるという課題がある。
【先行技術文献】
【特許文献】
【０００３】
【特許文献１】特開２０１７−４５４７８号公報
【発明の概要】
【発明が解決しようとする課題】
【０００４】
本発明は、電波干渉の防止が可能な駅務機器及び駅務機器の制御方法を提供することを目的とする。
【課題を解決するための手段】
【０００５】
一実施形態に係る駅務機器は、第１のカードリーダ、決済端末、通信インタフェース、プロセッサを具備する。第１のカードリーダは、ＩＣカードと無線通信を行う。決済端末は、前記ＩＣカードと無線通信を行う第２のカードリーダを有する。通信インタフェースは、前記ＩＣカードの識別情報毎に入出場情報を有する運賃サーバと通信する。プロセッサは、前記第２のカードリーダからの電波の出力を停止させ、前記第１のカードリーダにより前記ＩＣカードから識別情報を取得し、識別情報に基づいて、入出場情報を運賃サーバから取得し、決済額を算出し、前記第１のカードリーダからの電波の出力を停止させ、前記決済端末の前記第２のカードリーダにより前記ＩＣカードから識別情報を取得させ、決済額を前記決済端末に供給し、前記決済端末に決済を行わせる。
【図面の簡単な説明】
【０００６】
【図１】図１は、第１の実施形態に係る駅務システムの構成例について説明するための説明図である。
【図２】図２は、第１の実施形態に係る改札機の構成例について説明するための説明図である。
【図３】図３は、第１の実施形態に係る運賃サーバに記憶されている情報の例について説明するための説明図である。
【図４】図４は、第１の実施形態に係る駅務システムの動作の例について説明するための説明図である。
【図５】図５は、第２の実施形態に係る運賃サーバに記憶されている情報の例について説明するための説明図である。
【図６】図６は、第２の実施形態に係る改札機の動作の例について説明するための説明図である。
【発明を実施するための形態】
【０００７】
以下、図面を参照しながら駅務機器及び駅務機器の制御方法について詳細に説明する。
【０００８】
駅務機器は、鉄道の駅などに設置される機器を含むものである。駅務機器では、無線通信により識別情報（カードＩＤ）を取得可能なＩＣカードが乗車券として用いられる。
【０００９】
（第１の実施形態）  
図１は、第１の実施形態に係る駅務システム１の概要について説明する為の説明図である。また、図２は、第１の実施形態に係る駅務システム１の各構成の例について説明する為のブロック図である。駅務システム１は、ＩＣカード２から取得した識別情報に基づいて、利用者の特定の場所（例えば改札内など）への通行を制御するシステムである。
【００１０】
ＩＣカード２は、複数の用途での非接触通信に対応したＩＣカードである。ＩＣカード２は、識別情報を予め記憶している。例えば、ＩＣカード２は、乗車券としての用途と、決済用途とに対応している。具体的には、ＩＣカード２は、各用途に応じたアプリケーションを記憶したメモリを有し、コマンドに応じたアプリケーションを実行する。例えば、ＩＣカード２は、運賃計算用のカードリーダからの要求に応じて、識別情報を送信する。また、ＩＣカード２は、決済用のカードリーダからの要求に応じて、識別情報を送信する。なお、ＩＣカード２は、予め乗車券として登録される（識別情報に基づくアカウントが生成される）ことによって、駅務システムにおいて利用が可能になる。
【００１１】
駅務システム１は、駅毎に配置された複数の駅務機器によって構成される。例えば、図１に示されるように、駅務システム１は、改札機１１、運賃サーバ１２、及び決済サーバ１３を備える。改札機１１、運賃サーバ１２、及び決済サーバ１３は、ネットワーク１４を介して接続されている。駅務システム１は、駅毎に少なくとも１つ以上の改札機１１を備える。また、駅務システム１は、改札機１１の動作モードを制御する監視盤を駅毎に備えていてもよい。また、駅務システム１は、窓口端末、ＩＣカードを発行する発券機などを備えていてもよい。なお、決済サーバ１３は、駅務システム１の外部に設けられたものであってもよい。
【００１２】
次に、改札機１１の構成例について説明する。  
改札機１１は、改札内への入場に関する処理を行うモード（入場モード）と、改札内からの出場に関する処理を行うモード（出場モード）とのいずれかで動作する。図１に示されるように、改札機１１は、一対の筐体２１、ドア２２、ディスプレイ２３、第１のカードリーダ２４、及び第２のカードリーダ２５を備える。また、図２に示されるように、改札機１１は、システムコントローラ２６、通信インタフェース２７、ドア駆動機構２８、及び決済端末２９を筐体２１内に備える。
【００１３】
改札機１１の一対の筐体２１は、並行に配置されることによって、通路を構成する。
【００１４】
改札機１１のドア２２は、筐体の通路側に設けられ、ドア駆動機構２８によって回動されるドアである。
【００１５】
改札機１１のドア駆動機構２８は、システムコントローラ２６の制御に基づいて、ドア２２の動作を制御する。改札機１１のドア駆動機構２８は、ドア２２を閉じることにより、筐体間の通路を塞ぐ。
【００１６】
改札機１１のディスプレイ２３は、プロセッサまたは図示されないグラフィックコントローラなどから入力される映像信号に応じて、画面を表示する。
【００１７】
改札機１１のシステムコントローラ２６は、改札機１１の種々の制御を行う。システムコントローラ２６は、プロセッサ３１及びメモリ３２を備える。
【００１８】
プロセッサ３１は、演算処理を実行する演算素子（例えばＣＰＵ）を備える。プロセッサ３１は、メモリ３２に格納されているプログラムを実行することにより、種々の動作を実行する。
【００１９】
メモリ３２は、プログラム及びプログラムで用いられるデータなどを記憶する。メモリ３２に記憶されているプログラムは、例えば、プロセッサ３１に、通行判定処理を行わせるためのプログラムである。
【００２０】
改札機１１の通信インタフェース２７は、改札機１１以外の機器と通信する為のインタフェースである。改札機１１の通信インタフェース２７は、例えば、ネットワーク１４を介して運賃サーバ１２または決済サーバ１３と通信する。
【００２１】
第１のカードリーダ２４は、ＩＣカード２と無線通信を行う運賃計算用のカードリーダである。第１のカードリーダ２４は、システムコントローラ２６の制御に基づいて通信可能範囲内のＩＣカード２にコマンドを送信し、コマンドに対するレスポンスとしてＩＣカード２の識別情報を取得する。第１のカードリーダ２４は、例えば、アンテナと、アンテナにより送受信する信号を処理する信号処理回路とを備える。
【００２２】
改札機１１の決済端末２９は、例えばクレジットカード会社のセンターサーバなどである決済サーバ１３に、決済を要求する装置である。決済端末２９は、第２のカードリーダ２５を備える。また、決済端末２９は、図示されないプロセッサ及びメモリを備える。決済端末２９は、プロセッサがメモリに格納されているプログラムを実行することにより、第２のカードリーダ２５の動作の制御と、決済サーバ１３に対する決済の要求とを行う。なお、決済端末２９は、改札機１１の外部に通信インタフェースを介して接続される構成であってもよい。
【００２３】
第２のカードリーダ２５は、ＩＣカード２と無線通信を行う決済用のカードリーダである。上記したように、第２のカードリーダ２５は、決済端末２９の一部として構成されている。第２のカードリーダ２５は、決済端末２９のプロセッサの制御に基づいて通信可能範囲内のＩＣカード２にコマンドを送信し、コマンドに対するレスポンスとしてＩＣカード２の識別情報を取得する。第２のカードリーダ２５は、例えば、アンテナと、アンテナにより送受信する信号を処理する信号処理回路とを備える。第２のカードリーダ２５のアンテナは、第１のカードリーダ２４のアンテナと、通信可能範囲が重複する位置に設けられている。なお、第２のカードリーダ２５は、第１のカードリーダ２４と同じ通信方式で通信を行う構成であってもよいし、第１のカードリーダ２４と異なる通信方式で通信を行う構成であってもよい。
【００２４】
運賃サーバ１２は、ＩＣカード２の所有者の入場駅と出場駅とを示す入出場情報を管理する構成である。図３は、運賃サーバ１２に記憶されている情報（入出場情報）の例について説明する為の説明図である。図３に示されるように、入出場情報は、予め生成されたアカウント毎に、ＩＣカード２の識別情報と、入場駅と、出場駅とを有する情報である。即ち、入出場情報は、ＩＣカード２の識別情報と、入場駅と、出場駅と、が対応付けられた情報である。なお、入場駅及び出場駅は、ＩＣカード２を利用した改札処理前にはブランク（未入力）の状態になる。また、ＩＣカード２の識別情報には、入場駅と出場駅との対が複数対応付けられていてもよい。また、入出場情報は、入場駅及び出場駅にそれぞれ時間が対応付けられていてもよい。例えば、入出場情報の入場駅及び出場駅の記録は、所定のタイミング（例えば営業日の切替のタイミング）でリセットされる。
【００２５】
運賃サーバ１２は、改札機１１における処理結果に基づいて、入出場情報を逐次更新する。また、運賃サーバ１２は、改札機１１から要求された識別情報に対応付けられた入場駅及び出場駅を改札機１１に供給する。即ち、運賃サーバ１２は、改札機１１から要求された識別情報を含む入出場情報を改札機１１に供給する。なお、運賃サーバ１２は、識別情報に対応付けられた入場駅及び出場駅が複数である場合、最新の入場駅及び出場駅を改札機１１に供給する構成であってもよい。
【００２６】
運賃サーバ１２は、システムコントローラ４１及び通信インタフェース４２を備える。システムコントローラ４１は、運賃サーバ１２の種々の制御を行う。システムコントローラ４１は、プロセッサ５１及びメモリ５２を備える。
【００２７】
プロセッサ５１は、演算処理を実行する演算素子（例えばＣＰＵ）を備える。プロセッサ５１は、メモリ５２に格納されているプログラムを実行することにより、種々の動作を実行する。
【００２８】
メモリ５２は、プログラム及びプログラムで用いられるデータなどを記憶する。メモリ５２は、上記の入出場情報を記憶する。また、メモリ５２に記憶されているプログラムは、プロセッサ５１に、上記の入出場情報の更新、及び改札機１１への情報供給を行わせるためのプログラムである。
【００２９】
通信インタフェース４２は、改札機１１と通信する為のインタフェースである。通信インタフェース４２は、例えば、ネットワーク１４を介して改札機１１と通信する。
【００３０】
決済サーバ１３は、決済端末２９からの決済要求に基づいて、決済処理を行う。決済サーバ１３は、ＩＣカード２の識別情報と、決済用の情報とを対応付けて記憶している。決済用の情報は、例えば、予め支払われた金額に関する情報（残額情報）、クレジットカードに関する情報（クレジット情報）、及び銀行などの口座に関する情報（口座情報）のいずれかまたは複数を備える。また、与信に関する情報などがさらに対応付けられていてもよい。
【００３１】
次に、駅務システム１の各構成の動作について説明する。  
図４は、駅務システム１の各構成の動作について説明する為のシーケンス図である。
【００３２】
まず、改札機１１のシステムコントローラ２６は、決済端末２９に対して電波出力「不可」の制御信号を供給する（ステップＳ１１）。また、システムコントローラ２６は、第１のカードリーダ２４からＩＣカード２読み取り用の電波を出力させる。
【００３３】
決済端末２９は、システムコントローラ２６から電波出力「不可」の制御信号を受信した場合、第２のカードリーダ２５からの電波の出力を停止させる（ステップＳ１２）。改札機１１及び決済端末２９は、この状態を維持し、ＩＣカード２の読み取りを待つ。
【００３４】
改札機１１のシステムコントローラ２６は、第１のカードリーダ２４を制御し、利用者の所持するＩＣカード２を読み取る（ステップＳ１３）。これにより、システムコントローラ２６は、第１のカードリーダ２４によってＩＣカード２の識別情報を取得する。
【００３５】
システムコントローラ２６は、第１のカードリーダ２４によってＩＣカード２から取得した識別情報を、運賃サーバ１２に送信する（ステップＳ１４）。これにより、システムコントローラ２６は、識別情報に対応付けられた入場駅、及び出場駅を、運賃サーバ１２に要求する。
【００３６】
運賃サーバ１２のシステムコントローラ４１は、改札機１１から識別情報を受信した場合、入出場情報を参照し、受信した識別情報に対応付けられた入場駅、及び出場駅を読み出す。システムコントローラ４１は、読み出した入場駅、及び出場駅を改札機１１に供給する（ステップＳ１５）。
【００３７】
改札機１１のシステムコントローラ２６は、運賃サーバ１２から受信した入場駅、及び出場駅に基づいて、運賃（決済額）の算出を行う（ステップＳ１６）。
【００３８】
例えば、改札機１１が入場モードで動作しているとする。システムコントローラ２６は、入場駅及び出場駅が未入力であった場合、入場駅から自身が設けられている駅での初乗り料金を運賃として算出する。また、システムコントローラ２６は、改札機１１が初乗り料金の決済を行わない仕様である場合、運賃が「０」であると判断する。また、システムコントローラ２６は、入場駅が入力済みである場合、または入場駅及び出場駅が入力済みである場合、運賃の算出が不可であると判断する。
【００３９】
また、例えば、改札機１１が出場モードで動作しているとする。システムコントローラ２６は、入場駅が存在し、出場駅が未入力であった場合、入場駅から自身が設けられている駅までの運賃を予め設定された運賃算出プログラムに基づいて算出する。また、システムコントローラ２６は、入場駅が未入力である場合、運賃の算出が不可であると判断する。
【００４０】
次に、改札機１１のシステムコントローラ２６は、決済端末２９に対して電波出力「可」の制御信号を供給する（ステップＳ１７）。また、システムコントローラ２６は、第１のカードリーダ２４からＩＣカード２の読み取り用の電波の出力を停止させる。
【００４１】
決済端末２９は、システムコントローラ２６から電波出力「可」の制御信号を受信した場合、第２のカードリーダ２５からＩＣカード２の読み取り用の電波の出力を再開させる（ステップＳ１８）。これ以降、決済端末２９の第２のカードリーダ２５により、ＩＣカード２の読み取りが可能になる。
【００４２】
システムコントローラ２６は、ステップＳ１６で算出した運賃を金額情報として決済端末２９に送信する（ステップＳ１９）。これにより、システムコントローラ２６は、運賃の決済を決済端末２９に要求する。
【００４３】
また、決済端末２９は、第２のカードリーダ２５により利用者の所持するＩＣカード２を読み取る（ステップＳ２０）。これにより、決済端末２９は、第２のカードリーダ２５によってＩＣカード２の識別情報を取得する。
【００４４】
決済端末２９は、ＩＣカード２から取得した識別情報と、金額情報と、を決済サーバ１３に送信する（ステップＳ２１）。これにより、決済端末２９は、決済サーバ１３に決済要求を行う。
【００４５】
決済サーバ１３は、決済要求を受信した場合、受信した決済要求に基づいて決済を行う（ステップＳ２２）。決済サーバ１３は、決済要求に基づいて、決済が要求されている金額（決済額）を決定する。決済額は、金額情報が示す運賃である。また、決済サーバ１３は、決済要求に基づいて、決済を要求しているユーザの決済用情報を特定する。決済用情報は、ＩＣカード２の識別情報に対応付けられた残額情報、クレジット情報、または口座情報などの情報である。決済サーバ１３は、特定した決済用情報と、決済額とに基づいて、決済を承認するか、決済を不承認とするかを判断する。
【００４６】
決済サーバ１３は、決済要求に対するレスポンスとして、承認と不承認とのいずれかを示す承認結果を決済端末２９に送信する（ステップＳ２３）。
【００４７】
決済端末２９は、決済サーバ１３からの承認結果をシステムコントローラ２６に送信する（ステップＳ２４）。
【００４８】
改札機１１のシステムコントローラ２６は、決済端末２９からの承認結果に基づいて、通行判定処理を行う。通行判定処理は、ＩＣカード２を所持する利用者の通行を許可するか否かを判定する処理である。システムコントローラ２６は、通行判定処理の結果に基づいて、ドア駆動機構２８によりドア２２を制御する（ステップＳ２５）。また、システムコントローラ２６は、通行判定処理の結果に基づいて、ディスプレイ２３への表示制御を行い（ステップＳ２５）、ステップＳ１１の処理に戻り、次の利用者を待つ状態になる。
【００４９】
例えば、システムコントローラ２６は、決済端末２９からの承認結果が「承認」を示す場合、ＩＣカード２を所持する利用者の通行を許可する。また、例えば、システムコントローラ２６は、決済端末２９からの承認結果が「不承認」を示す場合、ＩＣカード２を所持する利用者の通行が不許可であると判断する。また、例えば、システムコントローラ２６は、ステップＳ１６において運賃の算出が不可であると判断した場合、またはステップＳ１３でＩＣカード２を正常に読み取ることができなかった場合（通信エラーが生じた場合）、ＩＣカード２を所持する利用者の通行が不許可であると判断する。
【００５０】
システムコントローラ２６は、ＩＣカード２を所持する利用者の通行を許可すると判断した場合、ドア２２を開くようにドア駆動機構２８を制御し、利用者の通路の通行を促す。また、システムコントローラ２６は、決済が行われたことを示す情報をディスプレイ２３に表示させる。
【００５１】
また、システムコントローラ２６は、ＩＣカード２を所持する利用者の通行が不許可であると判断した場合、ドア２２を閉じるようにドア駆動機構２８を制御し、利用者の通路の通行を妨げる。また、システムコントローラ２６は、通行が不許可であることを示す情報をディスプレイ２３に表示させる。また、システムコントローラ２６は、通行が不許可になった理由をディスプレイ２３に表示させてもよい。例えば、システムコントローラ２６は、入場駅が記録されていない旨、ＩＣカード２が乗車券として登録されていない旨（アカウント未登録）、決済が承認されなかった旨などをディスプレイ２３に表示させてもよい。
【００５２】
また、改札機１１のシステムコントローラ２６は、通行判定処理の結果を運賃サーバに送信してもよい。運賃サーバ１２は、改札機１１から通行判定処理の結果を受信した場合、ＩＣカード２の識別情報と、入場と出場のどちらが行われたのかと、結果を送信した駅とを認識する。運賃サーバ１２は、認識した結果に基づいて、入出場情報の入場駅または出場駅を更新する。
【００５３】
上記した実施形態の駅務システム１の改札機１１は、ＩＣカード２と無線通信を行う第１のカードリーダ２４と、ＩＣカード２と無線通信を行う第２のカードリーダ２５を有する決済端末２９と、ＩＣカード２の識別情報毎に入出場情報を有する運賃サーバと通信する通信インタフェースと、プロセッサ３１とを備える。プロセッサ３１は、第２のカードリーダ２５からの電波の出力を停止させ、第１のカードリーダ２４によりＩＣカード２から識別情報を取得する。プロセッサ３１は、識別情報に基づいて、入出場情報を運賃サーバから取得し、決済額を算出する。プロセッサ３１は、第１のカードリーダ２４からの電波の出力を停止させ、決済端末２９の第２のカードリーダ２５によりＩＣカード２から識別情報を取得させ、決済額を決済端末２９に供給し、決済端末２９に決済を行わせる。これにより、複数のカードリーダを備える駅務機器において、複数のカードリーダ間の電波干渉を防ぐことができる。
【００５４】
（第２の実施形態）  
第１の実施形態では、運賃の決済をすべて決済端末２９及び決済サーバ１３で行う構成について説明したが、この構成に限定されない。利用者の所持するＩＣカード２の種類によっては、決済端末２９及び決済サーバ１３に運賃の決済を行わせるのではなく、改札機１１と運賃サーバ１２によって運賃の決済を行う構成であってもよい。
【００５５】
第２の実施形態に係る駅務システム１は、第１の実施形態と構成が同じである。第２の実施形態に係る駅務システム１は、運賃サーバ１２に記憶されている情報と、改札機１１における処理とが第１の実施形態と異なる。
【００５６】
図５は、第２の実施形態に係る運賃サーバ１２に記憶されている情報の例について説明する為の説明図である。図５に示されるように、運賃サーバ１２は、予め生成されたアカウント毎に、ＩＣカード２の識別情報と、入場駅と、出場駅と、ＩＣカード２の種別と、決済の為の情報である残高と、利用可否とが対応付けられた入出場情報を記憶する。運賃サーバ１２は、改札機１１における処理結果に基づいて、入出場情報を逐次更新する。また、運賃サーバ１２は、改札機１１から要求された識別情報に対応付けられた入場駅、出場駅、ＩＣカード２の種別、残高、及び利用可否を改札機１１に供給する。即ち、運賃サーバ１２は、改札機１１から要求された識別情報を含む入出場情報を改札機１１に供給する。
【００５７】
図６は、第２の実施形態に係る改札機１１の動作の例について説明する為のフローチャートである。  
まず、改札機１１のシステムコントローラ２６は、決済端末２９に対して電波出力「不可」の制御信号を供給する（ステップＳ３１）。また、システムコントローラ２６は、第１のカードリーダ２４からＩＣカード２読み取り用の電波を出力させる。決済端末２９は、システムコントローラ２６から電波出力「不可」の制御信号を受信した場合、第２のカードリーダ２５からの電波の出力を停止させる。
【００５８】
システムコントローラ２６は、第１のカードリーダ２４を制御し、利用者の所持するＩＣカード２を読み取る（ステップＳ３２）。これにより、システムコントローラ２６は、第１のカードリーダ２４によってＩＣカード２の識別情報を取得する。
【００５９】
システムコントローラ２６は、ＩＣカード２の識別情報に対応する入出場情報を運賃サーバ１２から取得する（ステップＳ３３）。即ち、システムコントローラ２６は、第１のカードリーダ２４によってＩＣカード２から取得した識別情報を含む入出場情報を運賃サーバ１２に要求する。これにより、ＩＣカード２の識別情報に対応付けられた入場駅、出場駅、ＩＣカード２の種別、残高、及び利用可否を運賃サーバ１２から取得する。
【００６０】
システムコントローラ２６は、運賃サーバ１２から取得した入場駅、及び出場駅に基づいて、運賃の算出を行う（ステップＳ３４）。
【００６１】
次に、システムコントローラ２６は、運賃サーバ１２により決済を行うか否か判断する（ステップＳ３５）。システムコントローラ２６は、例えば、運賃サーバ１２から取得したＩＣカード２の種別に基づいて、運賃サーバ１２により決済を行うか、決済端末２９及び決済サーバにより決済を行うかを判断する。
【００６２】
システムコントローラ２６は、運賃サーバ１２により決済を行うと判断した場合（ステップＳ３５、ＹＥＳ）、残高、利用可否、及びステップＳ３４で算出した運賃に基づいて、通行判定処理を行う（ステップＳ３６）。例えば、システムコントローラ２６は、運賃が残高以下である場合、ＩＣカード２を所持する利用者の通行を許可すると判断する。また、例えば、システムコントローラ２６は、運賃が残高以下であっても、利用可否が「否」である場合、ＩＣカード２を所持する利用者の通行が不許可であると判断してもよい。
【００６３】
また、システムコントローラ２６は、運賃サーバ１２により決済を行わない、即ち、決済サーバ１３により決済を行うと判断した場合（ステップＳ３５、ＮＯ）、決済端末２９に対して電波出力「可」の制御信号を供給する（ステップＳ３７）。また、システムコントローラ２６は、第１のカードリーダ２４からＩＣカード２の読み取り用の電波の出力を停止させる。決済端末２９は、システムコントローラ２６から電波出力「可」の制御信号を受信した場合、第２のカードリーダ２５からＩＣカード２の読み取り用の電波の出力を再開させる。
【００６４】
システムコントローラ２６は、ステップＳ３４で算出した運賃を金額情報として決済端末２９に送信する（ステップＳ３８）。これにより、システムコントローラ２６は、運賃の決済を決済端末２９に要求する。
【００６５】
決済端末２９は、第２のカードリーダ２５により利用者の所持するＩＣカード２から識別情報を取得し、識別情報と、金額情報と、を決済サーバ１３に送信し、決済要求を行う。決済サーバ１３は、決済要求を受信した場合、受信した決済要求に基づいて決済を行い、承認と不承認とのいずれかを示す承認結果を決済端末２９に送信する。決済端末２９は、決済サーバ１３からの承認結果をシステムコントローラ２６に送信する。これにより、システムコントローラ２６は、決済端末２９から承認結果を取得する（ステップＳ３９）。
【００６６】
システムコントローラ２６は、決済端末２９からの承認結果に基づいて、通行判定処理を行う。システムコントローラ２６は、決済端末２９からの承認結果が「承認」を示す場合、ＩＣカード２を所持する利用者の通行を許可する。また、例えば、システムコントローラ２６は、決済端末２９からの承認結果が「不承認」を示す場合、ＩＣカード２を所持する利用者の通行が不許可であると判断する。
【００６７】
また、例えば、システムコントローラ２６は、ステップＳ３４において運賃の算出が不可であると判断した場合、またはステップＳ３２でＩＣカード２を正常に読み取ることができなかった場合（通信エラーが生じた場合）、ＩＣカード２を所持する利用者の通行が不許可であると判断する。
【００６８】
システムコントローラ２６は、通行判定によって、ＩＣカード２を所持する利用者の通行を許可すると判断した場合（ステップＳ３６、ＹＥＳ）、ドア２２を開くようにドア駆動機構２８を制御し、利用者の通路の通行を促す（ステップＳ４０）。また、システムコントローラ２６は、決済が行われたことを示す情報をディスプレイ２３に表示させ（ステップＳ４１）、処理を終了する。
【００６９】
また、システムコントローラ２６は、通行判定によって、ＩＣカード２を所持する利用者の通行を許可しないと判断した場合（ステップＳ３６、ＮＯ）、ドア２２を閉じるようにドア駆動機構２８を制御し、利用者の通路の通行を妨げる（ステップＳ４２）。また、システムコントローラ２６は、通行が不許可であることを示す情報をディスプレイ２３に表示させる（ステップＳ４３）。また、システムコントローラ２６は、通行が不許可になった理由をディスプレイ２３に表示させてもよい。例えば、システムコントローラ２６は、入場駅が記録されていない旨、ＩＣカード２が乗車券として登録されていない旨（アカウント未登録）、決済が承認されなかった旨、残額が不足している旨などをディスプレイ２３に表示させてもよい。
【００７０】
また、改札機１１のシステムコントローラ２６は、通行判定処理の結果を運賃サーバに送信してもよい。運賃サーバ１２は、改札機１１から通行判定処理の結果を受信した場合、ＩＣカード２の識別情報と、入場と出場のどちらが行われたのかと、結果を送信した駅とを認識する。運賃サーバ１２は、認識した結果に基づいて、入出場情報の入場駅または出場駅を更新する。また、運賃サーバ１２は、認識した結果に基づいて、入出場情報の入場駅または出場駅を更新する。
【００７１】
また、改札機１１のシステムコントローラ２６は、運賃サーバ１２による決済を行った場合、引き去り額（運賃）を運賃サーバに送信する。運賃サーバ１２は、改札機１１から引き去り額を受信した場合、引き去り額を残額から減算する。
【００７２】
また、運賃サーバ１２は、識別情報毎、且つ所定期間毎に、利用額を積算する構成であってもよい。例えば、運賃サーバ１２は、所定期間内の利用額の積算値が、予め設定された値に達した場合、利用可否を「否」に設定する構成であってもよい。このような構成によると、例えば、１か月の間にある金額以上利用できないように設定することができる。即ち、所定期間内の利用可能額を設定することができる。
【００７３】
上記した実施形態の駅務システム１の改札機１１は、ＩＣカード２の種別によって、運賃サーバ１２による決済と、決済端末２９及び決済サーバ１３による決済とを切り変える。これにより、運賃サーバ１２による決済の為のＩＣカードと、決済端末２９及び決済サーバ１３による決済の為のＩＣカード２との両方を乗車券として利用することができる。この結果、駅務システム１の導入を容易にすることができる。
【００７４】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１…駅務システム、２…ＩＣカード、１１…改札機、１２…運賃サーバ、１３…決済サーバ、１４…ネットワーク、２１…筐体、２２…ドア、２３…ディスプレイ、２４…第１のカードリーダ、２５…第２のカードリーダ、２６…システムコントローラ、２７…通信インタフェース、２８…ドア駆動機構、２９…決済端末、３１…プロセッサ、３２…メモリ、４１…システムコントローラ、４２…通信インタフェース、５１…プロセッサ、５２…メモリ。
【図１】
2020194358.tif 000003
【図２】
2020194358.tif 000004
【図３】
2020194358.tif 000005
【図４】
2020194358.tif 000006
【図５】
2020194358.tif 000007
【図６】
2020194358.tif 000008